(57)【特許請求の範囲】
【請求項１】
前輪及び後輪により支持された走行機体上に配設された操縦部と、該操縦部の足元にて機体左右側に延設された平坦なフロアステップと、前記操縦部の後方の機体左右両側にて前記フロアステップよりも高位置に形成された平坦なリヤステップと、を有する乗用田植機において、
これら平坦なフロアステップ及びリヤステップ間を連結し、該フロアステップから機体後方に向けて高くなるように傾斜する平坦な傾斜面により構成される立ち上がり連結部と、
前記前輪と前記後輪の機体前後方向の中間部で、かつ前記フロアステップの下方に設けられた燃料タンクと、を備え、
該燃料タンクの給油部を、前記立上り連結部の平坦な傾斜面の上下方向の中途部で、かつ該傾斜面の左右方向の中央部に配設した、
ことを特徴とする乗用田植機。
【請求項２】
前記立上り連結部の傾斜面に、前記給油部を開閉する開閉板をその下方部の枢支部により回動自在に設け、該開閉板を、前記立上り連結部の傾斜面に沿う閉姿勢から前記フロアステップ側への回動操作により開姿勢となるようにした、
ことを特徴とする請求項１記載の乗用田植機。
【請求項３】
前記燃料タンクのタンク本体と前記給油部とを接続する燃料導入部を、前記立上り連結部の傾斜面に沿わせて偏平状に形成し、
前記給油部を、該給油部よりも機体左右方向に幅広な前記燃料導入部の上端に設けた、
ことを特徴とする請求項１又は２記載の乗用田植機。
【発明の詳細な説明】
【技術分野】
【０００１】
本発明は、操縦部の後方の機体左右両側にてフロアステップよりも高位置に形成されたリヤステップを有する乗用田植機に関する。
【背景技術】
【０００２】
従来の乗用田植機等において、運転席の座席シートの左右両側には、オペレータが乗車したまま機体後部に行くための左右幅広な作業用のステップが配設されていて、このステップ下方には、燃料タンクが配置されていた。そして、前記ステップのうち、燃料タンクの給油口に対応する部分を、閉蓋姿勢と開蓋姿勢とに開閉自在な蓋に構成していた。すなわち、燃料タンクを略々水平なステップの下方に設け、かつ給油口をステップ部分で構成されるフラットな蓋で覆ったものが公知である（例えば、特許文献１参照）。
【０００３】
【特許文献１】特開２００２−９５３１８号公報（第５頁、図２、図１４）
【発明の開示】
【発明が解決しようとする課題】
【０００４】
しかし、従来の技術のように、燃料タンクの給油口を、運転席の足元に形成された略々水平な足載せ用のステップの下方に設けたものでは、該ステップ部に付着した泥土が給油口に入り込んだり、ステップ面に降った雨水や泥水が給油口から燃料タンク内に侵入し、エンジン性能が低下するおそれがあった。また、圃場での作業中に燃料タンクの給油口から燃料を補給する際、通常、燃料入りのポリタンクを用いるが、従来の給油口の配置では、ポリタンクをどこに置いて補給作業をすれば良いか、その置場に困っていた。
【０００５】
本発明は、斯かる課題を解決するためになされたもので、その目的とするところは、給油部付近に泥土が付着したり燃料タンク内に泥水が侵入するのを防止し、かつ作業中の燃料補給を容易に行うことのできる乗用田植機を提供することにある。
【課題を解決するための手段】
【０００６】
前記目的を達成するため、本発明は、前輪（１１）及び後輪（１２）により支持された走行機体（１４）上に配設された操縦部（２０）と、該操縦部（２０）の足元にて機体左右側に延設された平坦なフロアステップ（２１）と、前記操縦部（２０）の後方の機体左右両側にて前記フロアステップ（２１）よりも高位置に形成された平坦なリヤステップ（２２）と、を有する乗用田植機（１０）において、
これら平坦なフロアステップ（２１）及びリヤステップ（２２）間を連結し、該フロアステップ（２１）から機体後方に向けて高くなるように傾斜する平坦な傾斜面により構成される立ち上がり連結部（５２）と、
前記前輪（１１）と前記後輪（１２）の機体前後方向の中間部で、かつ前記フロアステップ（２１）の下方に設けられた燃料タンク（５０）と、を備え、
該燃料タンク（５０）の給油部（５１）を、前記立上り連結部（５２）の平坦な傾斜面の上下方向の中途部で、かつ該傾斜面の左右方向の中央部に配設した、ことを特徴とする。
【０００７】
また、上記乗用田植機において、
前記立上り連結部（５２）の傾斜面に、前記給油部（５１）を開閉する開閉板（５４）をその下方部の枢支部（５５）により回転自在に設け、該開閉板（５４）を、前記立上り連結部（５２）の傾斜面に沿う閉姿勢から前記フロアステップ（２１）側への回動操作により開姿勢となるようにすると好適である。
【０００８】
更に、上記乗用田植機において、
前記燃料タンク（５０）のタンク本体と前記給油部（５１）とを接続する燃料導入部（５０ａ）を、前記立上り連結部（５２）の傾斜面に沿わせて偏平状に形成し、前記給油部（５１）を、該給油部（５１）よりも機体左右方向に幅広な前記燃料導入部（５０ａ）の上端に設けると好適である。
【０００９】
なお、上述した括弧内の符号は図面を参照するために示すものであって、本発明を何ら限定するものではない。
【発明の効果】
【００１０】
請求項１に係る発明によれば、前輪及び後輪の機体前後方向の中間部で、かつフロアステップの下方に燃料タンクを設け、該燃料タンクの給油部を、フロアステップとリヤステップとをつなぐ立上り連結部に配設したので、給油部付近に泥等が付着するのを防止することができる。また、給油部を立上り連結部の傾斜面に設け、泥水は流れ落ちるので、該泥水が燃料タンク内に侵入するのを防止することができる。更に、例えば、機体側方の高位置（リヤステップ）にポリタンクを置いて下方の給油部に給油するので、圃場作業中の給油を容易に行うことができる。
【００１１】
請求項２に係る発明によれば、開閉板を、立上り連結部の傾斜面に沿う閉姿勢からフロアステップ側への回動操作により開姿勢となるようにしたので、例えばリヤステップ上に燃料補給用のポリタンクを置き、このポリタンクから給油管を給油部に延ばして容易に給油を行うことができる。また、この際、傾斜面上の泥等が給油部から燃料タンクに入ることはない。
【００１２】
請求項３に係る発明によれば、燃料タンクのタンク本体と給油部とを接続する燃料導入部を、立上り連結部の傾斜面に沿わせて偏平状に形成したので、下方にタンク本体の形状を大きくとってタンク容量を確保することができる。また、偏平状に形成した燃料導入部が、後輪に付着した泥を落す役目を担うことになり、後輪に長時間に亘って泥が付着するのを防止することができる。
【発明を実施するための最良の形態】
【００１３】
以下、図面に基づき本発明の実施の形態を説明する。
【００１４】
図１及び図２は、６条植えの乗用田植機を示している。この乗用田植機１０は、前輪１１及び後輪１２に支持された走行機体１４を有し、該走行機体１４の前部のボンネット１６内にはエンジン１７が搭載され、その後方にステアリングホイール１９及び座席シート１８を有する操縦部２０が備えられている。この操縦部２０において、足元の左右中央側及びその左右両側にはフロアステップ２１が配設され、該フロアステップ２１の左右夫々の後方には、該フロアステップ２１の後端部から後方に向けて高く傾斜する高位置にリヤステップ２２が配設されている。
【００１５】
また、走行機体１４の前部において、エンジン１７の後方にはトランスミッション３８が取付けられ、該トランスミッション３８の上方にはラジエータ４０が配設されている。このラジエータ４０には、前方にラジエータファン４０ａが設けられ、また、ラジエータ４０の直後には、オイルクーラ４２が配置されている。このオイルクーラ４２の機体右側には、ＨＳＴ４１が配置され、該ＨＳＴ４１の機体左側方にはＨＳＴファン４１ａが設けられている。また、エンジン１７の後方には、清浄な空気を供給するエアクリーナ４９が配設され、更に、該エンジン１７の前方には、マフラ出口パイプ４８が突設され、該マフラ出口パイプ４８が左側方に延びるように配管されている。このマフラ出口パイプ４８を介して、エンジン１７の左側方にマフラ４３が配置され、また、エンジン１７の右側方にはバッテリ４４が配置されている。なお、ラジエータファン４０ａは、機体前方に向けて冷却風を送風してエンジン１７を冷却し、該エンジン１７によって冷却された空気はボンネット１６の前部に形成された排風口６３（図３参照）から排出される。
【００１６】
また、機体前部のボンネット１６を挟んで、その左右両側方にはペーストタンク４５が配置され、このペーストタンク４５内の肥料は、座席シート１８の下方に配設された施肥繰出装置４６により、後述する植付部２４の下方に取付けられたノズル（図示せず）から圃場に施肥される。
【００１７】
一方、走行機体１４の後方には、アッパリンク２３ａとロアリンク２３ｂを有する昇降リンク機構２３を介して植付部２４が油圧シリンダ２５によって昇降自在に支持されている。昇降リンク機構２３の後端部には、リンクホルダ２６が軸着されていて、植付部２４は、このリンクホルダ２６から後方に突出されたローリング軸（図示せず）により走行機体１４の左右傾斜にかかわらず田面に追随可能にローリング自在に支持されている。この植付部２４は、マット苗を載置して後方が低くなるように前後に傾斜配置された苗載せ台２８と、機体左右方向に延びる角筒状の植付部フレーム３２と、該植付部フレーム３２に固定された伝動ケース３１から後方に延出する複数の植付用の植付ケース３０と、該植付ケース３０の後端部に設けられ植付杆２９を有するロータリケース３３と、を備えている。伝動ケース３１には、植付ＰＴＯ軸３５から動力が供給されている。植付ケース３０の下方には、滑走機能を有するフロート３４が取付けられている。
【００１８】
なお、植付部２４の前方でかつ後輪１２の後方との間の空間には、複数のかご型ロータ３６が所定間隔で取付けられていて、このかご型ロータ３６により、圃場の植付面を代掻きして、平滑に代掻きされた圃場に植付杆２９によって苗が植付けられる。このかご型ロータ３６は、各フロート３４の前方において機体左右方向に横設されたロータリ軸３７に支持されている。
【００１９】
本実施形態において、前輪１１と後輪１２の機体前後方向の中間部で、かつフロアステップ２１の下方に燃料タンク５０を設け、該燃料タンク５０の給油部５１を、フロアステップ２１とリヤステップ２２とをつなぐ立上り連結部５２に配設している。すなわち、図３に示すように、ボンネット１６を挟んでその機体左右両側に補助苗載せ台７０が取付けられていて、また、フロアステップ２１とリヤステップ２２とは、該フロアステップ２１の後端部から後方に向けて高くなるように傾斜する立上り連結部５２によって連結されている。
【００２０】
そして、燃料タンク５０の給油部５１は、給油口（図示せず）と該給油口を塞ぐキャップ５１ａを有し、この給油部５１が立上り連結部５２の傾斜面の上下方向の中途部に配設されている。これにより、燃料タンク５０の給油部５１の付近に泥等がかからなくなると共に、立上り連結部５２の傾斜面に設けたので、泥水は流れ落ち、燃料タンク５０内に侵入するのが防止される。
【００２１】
また、燃料タンク５０は、そのタンク本体と給油部５１とを接続する燃料導入部５０ａが、前記立上り連結部５２の傾斜面に沿って偏平状に形成されている。更に、この燃料導入部５０ａの上端に位置する給油部５１（給油口及びキャップ５１ａ）が、傾斜面の中途部に位置している。このように、燃料導入部５０ａを立上り連結部５２の傾斜面に沿わせて偏平状に形成したので、下方にタンク形状を大きくとれて、タンク容量を大きく確保することができる。また、燃料タンク５０を合成樹脂による成形手段により形成した場合、燃料導入部５０ａをパイプ状とすると成形が困難であるが、本実施形態のように偏平状としたことで成形が容易となる。更に、燃料導入部５０ａを立上り連結部５２の傾斜面に沿って偏平状としたので、この偏平部分で後輪１２の泥落しとなる利点もある。
【００２２】
更に、図４に示すように、給油部５１は開閉板５４によって開閉自在とされていて、該開閉板５４は、その下方部の枢支部５５を中心として上方が開くように回動自在に構成されている。すなわち、開閉板５４は、立上り連結部５２の傾斜面に沿った閉姿勢から、枢支部５５を中心としてフロアステップ２１側に回動操作することで開姿勢となるように構成されている。このため、例えば燃料入りのポリタンク５６をリヤステップ２２の上に置いた場合、該ポリタンク５６から燃料タンク５０の給油口に向けて給油管５７を延ばせば、乗車したまま燃料の補給作業を容易に行うことができる。
【００２３】
次に、図５を参照しながら、本実施形態の作用を簡単に説明する。
【００２４】
例えば、圃場での作業中において、燃料タンク５０内の燃料が不足したり燃料切れになった場合、補給用燃料が入ったポリタンク５６をリヤステップ２２の上面に置き、フロアステップ２１とリヤステップ２２とをつなぐ立上り連結部５２に配置した開閉板５４を、下方部の枢支部５５を中心として図の矢印方向に開放する。次いで、給油部５１のキャップ５１ａを外して、ポリタンク５６から給油口に向けて給油管５７を延ばし、ポンプ（図示せず）にてポリタンク５６内の燃料を補給すれば良い。このとき、開閉板５４は上から下に開閉するので、立上り連結部５２に付着した泥等が給油部５１に入り込むことはないし、ステップに乗ったまま圃場作業中の燃料の補給作業を容易に行うことができる。
【図面の簡単な説明】
【００２５】
【図１】本発明を適用した乗用田植機の側面図である。
【図２】同上の平面図である。
【図３】機体前部に補助苗載せ台を取付けた乗用田植機の側面図である。
【図４】燃料タンクの給油部の概略の斜視図である。
【図５】燃料タンクの給油部に燃料補給中の概略の斜視図である。
【符号の説明】
【００２６】
１０      乗用田植機
１１      前輪
１２      後輪
１４      走行機体
２０      操縦部
２１      フロアステップ
２２      リヤステップ
５０      燃料タンク
５０ａ    燃料導入部
５１      給油部
５１ａ    キャップ
５２      立上り連結部
５４      開閉板
５５      枢支部
【図１】
0004769413.tif 000002
【図２】
0004769413.tif 000003
【図３】
0004769413.tif 000004
【図４】
0004769413.tif 000005
【図５】
0004769413.tif 000006